(57)【要約】【課題】  塗布具の塗布杆と刷毛部を、軟材質を用いて一体に成形するとともに、塗布杆の剛性を先端にいくほど低下させ、塗布杆を所望に応じて湾曲させるようにしたマスカラ等の塗布具を提供することを目的とする。【解決手段】  容器と、塗布部材を取着したキャップとからなる塗布具であって、塗布部材が、軟材質によって成形された塗布杆と塗布部を具備しており、塗布杆が、中空の軸体によって構成され、先端にいくにしたがって軸体の剛性を低下させるようにしていることを特徴とする。【選択図】  図１
2005185360.tif 000002
【特許請求の範囲】
【請求項１】
容器と、塗布部材を取着したキャップとからなる塗布具であって、
塗布部材が、軟材質によって成形された塗布杆と塗布部を具備しており、
塗布杆が、中空の軸体によって構成され、先端にいくにしたがって軸体の剛性を低下させるようにしていることを特徴とする塗布具。
【請求項２】
塗布杆の側周壁肉厚を、先端にいくにしたがって薄くし、軸体の剛性を低下させていることを特徴とする請求項１記載の塗布具。
【請求項３】
塗布部材が、熱可塑性エラストマーによって成形されていることを特徴とする請求項１、２記載の塗布具。
【発明の詳細な説明】
【技術分野】
【０００１】
本発明は、塗布具、とくにフレキシブルな塗布杆を具えたマスカラ等の塗布具に関するものである。
【背景技術】
【０００２】
マスカラ塗布具において、塗布部に対して塗布杆を湾曲させて使用することは、従来より知られている。
その一例として、塗布杆（塗布棒１）として、アルミニューム等のフレキシブルな線材を継手棒（３）として用い、塗布杆の容器口部からの引出し時に、継手棒（３）を所望する形状に湾曲させるようにしたマスカラ塗布具が提案されている（例えば、特許文献１参照）。
また、刷毛部（３）を、塗布杆（２）に対して傾斜させるようにしたマスカラ塗布具も提案されている（例えば、特許文献２参照）。
【特許文献１】実開昭５８−４０００８号公報
【特許文献２】実公昭５６−４０３２４号公報
【発明の開示】
【発明が解決しようとする課題】
【０００３】
しかしながら、特許文献１記載の塗布具は、塗布杆（１）に挿入口（４）を穿設し、該挿入口（４）に継手棒（３）を挿入取着するようにしているので、取付けのための工程が増加し、生産コストが高くつくという問題があった。
さらには、フレキシブルな線材として、金属を用い、簡単に取外しができないので、分別廃棄ができないという問題があった。
【０００４】
また、特許文献２記載の塗布具は、容器に嵌着した小キャップ（６）に、楕円形状の挿入口（５）を形成し、塗布杆（２）の先端と刷毛部（３）の基部をそれぞれ楕円形状の長径部に合致させるようにしており、塗布杆引出しに注意を要し、さらに、しごき中栓がある場合には、刷毛部（３）を抜き出す場合に、塗布杆（２）を傾斜させて抜き出さなければならないという問題があった。
【０００５】
本発明は、上記問題を解決することを課題とし、塗布具の塗布杆と刷毛部を、軟材質を用いて一体に成形するとともに、塗布杆の剛性を先端にいくほど低下させ、塗布杆を所望に応じて湾曲させるようにしたマスカラ等の塗布具を提供することを目的とする。
【課題を解決するための手段】
【０００６】
本発明は、上記の課題を解決するため、塗布具として、容器と、塗布部材を取着したキャップとからなる塗布具であって、塗布部材が、軟材質によって成形された塗布杆と塗布部を具備しており、塗布杆が、中空の軸体によって構成され、先端にいくにしたがって軸体の剛性を低下させるようにしていることを特徴とする構成を採用する。
【０００７】
塗布杆の実施態様として、塗布杆の側周壁肉厚を、先端にいくにしたがって薄くし、軸体の剛性を低下させていることを特徴とする構成を採用し、また、塗布部材の実施態様として、塗布部材が、熱可塑性エラストマーによって成形されていることを特徴とする構成を採用する。
【発明の効果】
【０００８】
塗布杆を中空の軸体として、エラストマー等の軟材質の素材を用いて成形し、先端にいくにしたがって剛性を少なくしているので、キャップの軸線に対して、塗布杆が自由に湾曲し、それも先端にいくほどしなりやすくなり、ブラシをまつげに一様に押さえつけることができる。
【発明を実施するための最良の形態】
【０００９】
次に、本発明の実施形態について、図面を参照して説明する。
図１において、Ａは容器本体、Ｂはしごき中栓、Ｃはキャップ、ＤはキャップＣに嵌着され、先端に一体成形されたブラシＤ１を具えた塗布部材である。
容器本体Ａ、キャップＣは、合成樹脂を素材として成形され、しごき中栓Ｂと塗布部材Ｄは、エラストマー等の軟材質を素材として成形されている。
【００１０】
容器本体Ａは、口部１と肩部２、胴部３と底部とからなり、口部１にはねじ４が螺設され、肩部２には、位置決め片が設けられている。
【００１１】
しごき中栓Ｂは、上端にフランジ１０を突設した筒体１１を具えている。
筒体１１は、その中間部から内方に斜め下方に突出したワイパー１２を設けており、筒体１１の外周下方には、肩部２の下面に係合し、しごき中栓Ｂの上昇を阻止する膨出部１３が突設されている。
【００１２】
キャップＣは、頂壁１５と側周壁１６とからなり、側周壁１６の下方部内面には、塗布部材Ｄを嵌着する嵌合部１７が設けられ、その中間には、凹溝１８が設けられている。
嵌合部１７の下方部は拡径され螺合部１９となっており、ねじ１９ａと位置決め片が設けられている。
【００１３】
塗布部材Ｄは、嵌合筒部２０と塗布杆２１とからなっており、塗布杆２１の先端には、ブラシＤ１が形成されている。
嵌合筒部２０は、側周壁２２と底壁２３とを具えており、側周壁２２の下端部には、膨出環２４が突設され、下端には、しごき中栓Ｂのフランジ１０上部に係合する段差部が設けられている。
底壁２３の中心部には、塗布杆２１が垂設されており、塗布杆２１は、その中心には、下方に向かって軸孔２５が穿設され、中空部を有する軸体となっている。
【００１４】
図２（ａ）に示すように、軸孔２５の孔径ｄ１は、下方にいくにしたがって大きくなってテーパー状となっており、そのことから塗布杆２１の側周壁の肉厚ｔは、下方にいくにしたがって薄くなっている。
【００１５】
塗布杆２１は、エラストマー等の軟材質を素材としているが、素材の有する硬度と中空体であることによって、一定の剛性が付与されている。
実施例として、硬度が、３０〜９５  ＩＲＨＤ／Ｓ／Ｎ、好ましくは３５〜８５  ＩＲＨＤ／Ｓ／Ｎの熱可塑性エラストマーが用いられている（但し、硬度はＪＩＳＫ６３２５に規定された測定法による ）。
また、下方にいくにしたがって肉厚が薄くなっているので、曲がりやすくなっている。
【００１６】
上記実施例では、塗布杆２１の軸孔２５の孔径ｄ１を下方を大きくしたが、図２（ｂ）に示すように、孔径ｄ１を一定として、塗布杆２１の外径ｄ２を下方を小さくテーパー状になるようにしてもよく、また、図２（ｃ）に示すように、軸孔２５を、直線部２６ａと、テーパー部２６ｂ、直線部２６ａより拡径された直線部２６ｃとから成形し、下方にいくにしたがって、孔径を大きく、肉厚を薄くするようにしてもよい。
【００１７】
また、前記実施例では、軸孔２５をブラシＤ１の部分を除く塗布杆２１に穿孔しているが、ブラシＤ１の部分まで先端部を残すようにして穿孔してもよい。
【００１８】
ブラシＤ１は、図３に示すように、放射状に突出したブラシ毛２７によって形成されている。
また、ブラシに変え、櫛形状としてもよい。
【００１９】
次に、上記構成による作用効果について説明する。
マスカラの使用態様は従来のものと同様であり、ブラシＤ１を容器本体Ａから抜き出すとき、しごき中栓Ｂのワイパー１２によってブラシＤ１へのマスカラの付着量が調整されるが、その際、容器の軸心に対してキャップＣの抜け出し方向が一致していなくても、塗布杆２１がしなるので、難なく抜け出すことができる。
【００２０】
まつげａへの塗布にあたっては、図４に示すように、塗布杆２１がしなるので、ブラシＤ１をまつげａに一様に押さえつけて塗布することができる。
また、塗布杆２１の下方が最も薄肉となり曲がりやすいので、一層使いやすくなっている。
【産業上の利用可能性】
【００２１】
マスカラ塗布具の塗布杆を、軟材質を素材として成形し、塗布杆の先端ほど剛性を低下するようにしたから、塗布杆がよくしなり、ブラシがまつげに一様に押付けられるようになった。
また、塗布杆がしなるようにしたことから、マスカラ塗布具ばかりではなく、ブラシ等を使用する毛染剤や、薬液の塗布具等にも適用できるようになった。
【００２２】
さらに、塗布部が軟材質のブラシで、肌にソフトに接触するので、アイシャドー等の塗布具にも適用できる。
【図面の簡単な説明】
【００２３】
【図１】塗布具の縦断面図である。
【図２】塗布杆の説明図で、（ａ）（ｂ）（ｃ）は、それぞれ異なる三つの実施例を示す縦断面図である。
【図３】塗布ブラシの説明図で、図１のＡ−Ａ線における断面図である。
【図４】使用時の説明図である。
【符号の説明】
【００２４】
Ａ      容器本体
Ｂ      しごき中栓
Ｃ      キャップ
Ｄ      塗布部材
Ｄ１    ブラシ
ａ      まつげ
ｄ１    孔径
ｄ２    外径
ｔ      塗布杆の肉厚
１      口部
２      筒体
３      胴部
４      ねじ
１０    フランジ
１１    筒体
１２    ワイパー
１５    頂壁
１６    側周壁
１７    嵌合部
１９    螺合部
２０    嵌合筒部
２１    塗布杆
２５    軸孔
２６ａ  直線部
２６ｂ  テーパー部
２６ｃ  直線部
２７    ブラシ毛
【図１】
2005185360.tif 000003
【図２】
2005185360.tif 000004
【図３】
2005185360.tif 000005
【図４】
2005185360.tif 000006